(57)【要約】      （修正有）【課題】可撓性が優れ、且つ軽便で日常生活用製品に応用するのに適する放射線遮蔽生地を提供する。【解決手段】第１の表面と第２の表面とを有し、且つ可撓性を有するように鉛材料により薄膜状に形成された鉛薄膜層２と、鉛薄膜層２の前記第１の表面に積層されて且つ可撓性を有する第１の被覆層３と、鉛薄膜層２の前記第２の表面に積層されて且つ可撓性を有する第２の被覆層４と、を具えていることを特徴とする。【選択図】図２
0003187994.tif 000002
【実用新案登録請求の範囲】
【請求項１】
第１の表面と第２の表面とを有し、且つ可撓性を有するように鉛材料により薄膜状に形成された鉛薄膜層と、
前記鉛薄膜層の前記第１の表面に積層されて且つ可撓性を有する第１の被覆層と、
前記鉛薄膜層の前記第２の表面に積層されて且つ可撓性を有する第２の被覆層と、
を具えていることを特徴とする放射線遮蔽生地。
【請求項２】
前記鉛薄膜層の厚さが少なくとも０.０３ｍｍ以上であり、且つ前記鉛薄膜層と前記第１の被覆層と前記第２の被覆層を含めた全体の厚さが０.２ｍｍ以下であることを特徴とする請求項１に記載の放射線遮蔽生地。
【請求項３】
前記第１の被覆層の素材がポリエチレン（ＰＥ）、ポリエチレンテレフタレート（ＰＥＴ）、二軸延伸ポリプロピレン（ＯＰＰ）及びナイロン（Ｎｙｌｏｎ）からなる群より選ばれた材料を用いることを特徴とする請求項１または請求項２に記載の放射線遮蔽生地。
【請求項４】
前記第２の被覆層の素材がポリエチレン（ＰＥ）、ポリエチレンテレフタレート（ＰＥＴ）、二軸延伸ポリプロピレン（ＯＰＰ）及びナイロン（Ｎｙｌｏｎ）からなる群より選ばれた材料を用いることを特徴とする請求項１〜請求項３のいずれか一項に記載の放射線遮蔽生地。
【請求項５】
前記鉛薄膜層と前記第１の被覆層との間に接着効果を提供する第１の接着層が介在し、
前記鉛薄膜層と前記第２の被覆層との間に接着効果を提供する第２の接着層が介在していることを特徴とする請求項１〜請求項４のいずれか一項に記載の放射線遮蔽生地。
【考案の詳細な説明】
【技術分野】
【０００１】
本考案は放射線遮蔽生地に関し、特に可撓性を有する放射線遮蔽生地に関する。
【背景技術】
【０００２】
従来の放射線遮蔽生地が使用される放射線遮蔽服は、例えば、特許文献１の背景技術に記載された医療関係者が使用している放射線遮蔽服のように、鉛材料により作製された複数個の分厚いブロック状や板状などの遮蔽手段が生地の中に設置されている。
【先行技術文献】
【特許文献】
【０００３】
【特許文献１】台湾特許出願第１００１１４７２９号明細書
【考案の概要】
【考案が解決しようとする課題】
【０００４】
しかし、前記放射線遮蔽服の生地の構造からみると、前記放射線遮蔽服は、鉛材料により作製された分厚い遮蔽手段を使用しているので、生地の可撓性が非常に低減され、着用者にとっては非常に動きにくい。更に、鉛の比重が大きいので、放射線遮蔽服の重量は数キログラムにも達し、非常に重くて長時間着ていられない。ゆえに、前記放射線遮蔽生地により製造された放射線遮蔽製品は、日常生活に不向きのため、医療現場や救難現場など特定の状況でしか使われていない。
上記問題点に鑑みて、本考案の目的は従来の放射線遮蔽服の生地より可撓性が優れ、且つ軽便で日常生活用製品に応用するのに適する放射線遮蔽生地の提供を目的とする。
【課題を解決するための手段】
【０００５】
上記目的を達成すべく、本考案は、第１の表面と第２の表面とを有し、且つ可撓性を有するように鉛材料により薄膜状に形成された鉛薄膜層と、前記鉛薄膜層の前記第１の表面に積層されて且つ可撓性を有する第１の被覆層と、前記鉛薄膜層の前記第２の表面に積層されて且つ可撓性を有する第２の被覆層と、を具えている放射線遮蔽生地を提供する。
上記放射線遮蔽生地において、前記鉛薄膜層は、厚さが少なくとも０.０３ｍｍ以上であり、且つ前記第１の被覆層及び前記第２の被覆層をも含めた全体の厚さが０.２ｍｍ以下であることが好ましい。
上記放射線遮蔽生地において、前記第１の被覆層の素材がポリエチレン（ＰＥ）、ポリエチレンテレフタレート（ＰＥＴ）、延伸ポリプロピレン（ＯＰＰ）及びナイロン（Ｎｙｌｏｎ）からなる群より選ばれた材料を用いることが好ましい。
上記放射線遮蔽生地において、前記第２の被覆層の素材がポリエチレン（ＰＥ）、ポリエチレンテレフタレート（ＰＥＴ）、延伸ポリプロピレン（ＯＰＰ）及びナイロン（Ｎｙｌｏｎ）からなる群より選ばれた材料を用いることが好ましい。
上記放射線遮蔽生地において、前記鉛薄膜層と前記第１の被覆層との間に接着効果を提供する第１の接着層が介在し、前記鉛薄膜層と前記第２の被覆層との間に接着効果を提供する第２の接着層が介在していることが好ましい。
【考案の効果】
【０００６】
上記の構成によれば、本考案の放射線遮蔽生地は、可撓性を有する鉛薄膜層と、可撓性を有する前記第１の被覆層と、可撓性を有する前記第２の被覆層とからなるので、生地全体の可撓性が向上されており、更に、放射線遮蔽効果を提供する鉛材料は鉛薄膜層として薄膜状に形成されており、従来の放射線遮蔽生地が使用している分厚い遮蔽手段より体積及び重量が大いに減少されたので、可撓性が優れ、且つ軽便で日常生活用製品に応用するのに適する放射線遮蔽生地を提供することができる。
【図面の簡単な説明】
【０００７】
【図１】本考案の放射線遮蔽生地の好ましい実施形態の立体分解図である。
【図２】本考案の放射線遮蔽生地の好ましい実施形態の断面図である。
【図３】本考案の放射線遮蔽生地の好ましい実施形態が芯１１に巻きつけられている状態の断面図である。
【考案を実施するための形態】
【０００８】
以下は添付の図面を参照しながら、本考案の放射線遮蔽生地の好ましい実施形態について説明する。
図１は本考案の放射線遮蔽生地の好ましい実施形態の分解斜視図であり、図２は該好ましい実施形態の断面図であり、図３は該好ましい実施形態が芯１１に巻きつけられている収納状態の断面図である。
図１と図２に示されるように、本考案の放射線遮蔽生地１０は、第１の表面と第２の表面とを有し、且つ可撓性を有するように鉛材料により薄膜状に形成された鉛薄膜層２と、鉛薄膜層２の前記第１の表面に積層されて且つ可撓性を有する第１の被覆層３と、鉛薄膜層の前記第２の表面に積層されて且つ可撓性を有する第２の被覆層４と、を具えている。
【０００９】
本考案の放射線遮蔽生地１０に使用される鉛薄膜層２は、放射線を遮蔽するものであるので、十分な遮蔽効果を確保するため、少なくとも０.０３ｍｍ以上の厚さを有することが好ましい。そして本考案の放射線遮蔽生地１０全体の可撓性を確保するため、第１の被覆層３及び第２の被覆層４をも含めた全体の厚さを０.２ｍｍ以下に抑えることが好ましい。
この実施形態において、鉛薄膜層２は圧延加工により製造され、厚さは０．０５ｍｍである。しかし、鉛薄膜層２の製造方法は圧延加工に限定されず、他の製造方法で製造することも可能である。
【００１０】
第１の被覆層３について、素材としてポリエチレン（ＰＥ）、ポリエチレンテレフタレート（ＰＥＴ）、延伸ポリプロピレン（ＯＰＰ）及びナイロン（Ｎｙｌｏｎ）からなる群より選ばれた材料を用い、最低限の保護機能と可撓性を確保するため、厚さが０．０１ｍｍ〜０．１ｍｍの範囲内にあることが好ましい。
第２の被覆層４については第１の被覆層３と同じく、素材としてポリエチレン（ＰＥ）、ポリエチレンテレフタレート（ＰＥＴ）、延伸ポリプロピレン（ＯＰＰ）及びナイロン（Ｎｙｌｏｎ）からなる群より選ばれた材料を用い、最低限の保護機能と可撓性を確保するため、厚さが０．０１ｍｍ〜０．１ｍｍの範囲内にあることが好ましい。
この実施形態において、第１の被覆層３は素材としてポリエチレン（ＰＥ）を使用し、厚さが０．０８ｍｍになるように鉛薄膜層２の前記第１の表面に積層されており、第２の被覆層４は素材としてポリエチレンテレフタレート（ＰＥＴ）を使用し、厚さが０．０１２ｍｍになるように鉛薄膜層２の前記第２の表面に積層されている。
【００１１】
更に、この実施形態において、鉛薄膜層２と第１の被覆層３との間に接着効果を提供する第１の接着層５が介在し、鉛薄膜層２と第２の被覆層４との間に接着効果を提供する第２の接着層６が介在している。
第１の接着層５と第２の接着層６は、公知の貼り合わせ方法を使用して形成することができる。例えば溶剤系接着剤または反応系接着剤を使用するドライラミネート法や、水系接着剤または水分散系接着剤を使用するウエットラミネートなどを採用することができる。更に、第１の接着層５と第２の接着層６の厚さは極めて薄いので、全体の厚さに著しい影響はない。
【００１２】
上記の構成によれば、本実施形態の放射線遮蔽生地１０は、全体の厚さが０.２ｍｍ以下であり、更に、図３に示されるように、円筒状の芯１１にロール状に巻きつけられることができるほどの可撓性を有する。このように収容された状態は、加工または製造の作業において回転しながら生地を素早く送れるので、利便性が高い。そして、本実施形態の放射線遮蔽生地１０において、第１の被覆層３の素材はポリエチレン（ＰＥ）なので、高周波熱溶着方法を使用すれば、同じ構成を有する他の放射線遮蔽生地１０が有する第１の被覆層３と接着でき、可撓性が優れ且つ軽便な、更に高い放射線遮蔽機能を有する日常生活用製品として組み合わせることができる。
【産業上の利用可能性】
【００１３】
上記の構成によれば、本考案の放射線遮蔽生地は、可撓性を有する鉛薄膜層と、可撓性を有する第１の被覆層と、可撓性を有する第２の被覆層とからなるので、生地全体の可撓性が向上されており、更に、放射線遮蔽効果を提供する鉛材料は鉛薄膜層として薄膜状に形成されており、従来の放射線遮蔽生地が使用している分厚い遮蔽手段より体積及び重量が大いに減少されたので、可撓性が優れ、且つ軽便で日常生活用製品に応用するのに適する放射線遮蔽生地を提供することができる。
【符号の説明】
【００１４】
２  鉛薄膜層
３  第１の被覆層
４  第２の被覆層
５  第１の接着層
６  第２の接着層
１０  放射線遮蔽生地
１１  芯
【図１】
0003187994.tif 000003
【図２】
0003187994.tif 000004
【図３】
0003187994.tif 000005